(57)【要約】【課題】標識板の裏面の取付溝の端部を防護カバー板で覆うことにより、この取付溝の端部に歩行者がぶつかって怪我することを防止できると共に、標識板を支柱に取付するための取付溝を利用して防護カバー板を取付できる簡易構造の道路標識を提供すること。【解決手段】標識板１の裏面に設けた取付溝２を利用して支柱３に取付可能な道路標識において、少なくとも前記取付溝２の端部を前記標識板１の裏面側から覆う防護カバー板４を、前記取付溝２を利用して標識板１の裏面に付設した道路標識。【選択図】図１
0003177662.tif 000002
【実用新案登録請求の範囲】
【請求項１】
標識板の裏面に設けた取付溝を利用して支柱に取付可能な道路標識において、少なくとも前記取付溝の端部を前記標識板の裏面側から覆う防護カバー板を、前記取付溝を利用して標識板の裏面に付設したことを特徴とする道路標識。
【請求項２】
前記防護カバー板は、その端部を前記取付溝の端部より外側に位置するように配して前記標識板の裏面に付設したことを特徴とする請求項１記載の道路標識。
【請求項３】
前記防護カバー板は、角部に面取り加工を施した多角形板材で構成し、この防護カバー板の面取り部が前記標識板の裏面側の角部付近に位置するように配して防護カバー板を標識板の裏面に付設したことを特徴とする請求項１，２のいずれか１項に記載の道路標識。
【請求項４】
前記取付溝は、標識板の裏面側が開放する形状であって、この取付溝の端部からボルトのボルト頭部若しくはナットをスライド挿入することでボルト若しくはナットが抜け止め状態となる溝形状に形成して、この取付溝に取付した前記ボルト若しくは前記ナットにより前記標識板を前記支柱に取付し得るように構成し、前記防護カバー板は、前記取付溝に取付した前記ボルト若しくは前記ナットを利用して前記標識板の裏面に付設したことを特徴とする請求項１〜３のいずれか１項に記載の道路標識。
【請求項５】
前記防護カバー板にボルト通し孔を設け、このボルト通し孔に、前記取付溝に取付した前記ボルトを挿通してこのボルトにナットを螺着するか、若しくはこのボルト通し孔に挿通した前記ボルトを、前記取付溝に取付した前記ナットに螺着することによって前記標識板の裏面に防護カバー板を付設したことを特徴とする請求項４記載の道路標識。
【考案の詳細な説明】
【技術分野】
【０００１】
本考案は、道路標識に関するものである。
【背景技術】
【０００２】
一般的な道路標識は、例えば、図１，図２に示すように、表面に文字や図形が表示された標識板１の裏面に、細長い溝型金具10が横設状態に付設されていると共に、この溝型金具10の取付溝２が、この取付溝２の端部からボルト６のボルト頭部７をスライド挿入することでボルト６を抜け止め状態に取付できる奥広形状溝に構成されていて、この取付溝２に取付した前記ボルト６と包持金具11を用いることにより前記標識板１を支柱３に取付できるように構成されている。
【考案の概要】
【考案が解決しようとする課題】
【０００３】
ところで、歩道や道路の路肩に設置される路側式の道路標識には、標識板１の裏面の溝型金具10が地面から１１０ｃｍ前後の高さに位置するものが多く存在する。
【０００４】
また、この種の道路標識は、その表示部（表面）が道路側に向けられているものが多いため、標識板１の裏面が歩道側に面しているものが多く存在する。
【０００５】
してみると、地面から１１０ｃｍ前後の高さは、子供が歩行中につまずいてバランスを崩した時や転倒途中に顔をぶつけてしまい易い高さでもあり、この高さにあって歩道側に面している溝型金具10の端部に、何かの拍子に子供が顔をぶつけて怪我をしてしまう懸念があった。
【０００６】
本考案は、このような懸念を払拭しようとするもので、少なくとも取付溝の端部を標識板の裏面側から防護カバー板で覆うことによって万一標識板の裏面側に歩行者がぶつかっても怪我を防止でき、更にこの防護カバー板を、標識板を支柱に取付するための取付溝を利用して容易に取付可能となる実用性に優れた道路標識を提供するものである。
【課題を解決するための手段】
【０００７】
添付図面を参照して本考案の要旨を説明する。
【０００８】
標識板１の裏面に設けた取付溝２を利用して支柱３に取付可能な道路標識において、少なくとも前記取付溝２の端部を前記標識板１の裏面側から覆う防護カバー板４を、前記取付溝２を利用して標識板１の裏面に付設したことを特徴とする道路標識に係るものである。
【０００９】
また、前記防護カバー板４は、その端部を前記取付溝２の端部より外側に位置するように配して前記標識板１の裏面に付設したことを特徴とする請求項１記載の道路標識に係るものである。
【００１０】
また、前記防護カバー板４は、角部に面取り加工を施した多角形板材で構成し、この防護カバー板４の面取り部５が前記標識板１の裏面側の角部付近に位置するように配して防護カバー板４を標識板１の裏面に付設したことを特徴とする請求項１，２のいずれか１項に記載の道路標識に係るものである。
【００１１】
また、前記取付溝２は、標識板１の裏面側が開放する形状であって、この取付溝２の端部からボルト６のボルト頭部７若しくはナット８をスライド挿入することでボルト６若しくはナット８が抜け止め状態となる溝形状に形成して、この取付溝２に取付した前記ボルト６若しくは前記ナット８により前記標識板１を前記支柱３に取付し得るように構成し、前記防護カバー板４は、前記取付溝２に取付した前記ボルト６若しくは前記ナット８を利用して前記標識板１の裏面に付設したことを特徴とする請求項１〜３のいずれか１項に記載の道路標識に係るものである。
【００１２】
また、前記防護カバー板４にボルト通し孔９を設け、このボルト通し孔９に、前記取付溝２に取付した前記ボルト６を挿通してこのボルト６にナット８を螺着するか、若しくはこのボルト通し孔９に挿通した前記ボルト６を、前記取付溝２に取付した前記ナット８に螺着することによって前記標識板１の裏面に防護カバー板４を付設したことを特徴とする請求項４記載の道路標識に係るものである。
【考案の効果】
【００１３】
本考案は上述のように構成したから、たとえ歩行者が顔などをぶつけ易い高さに取付溝が位置するように標識板が設置された場合であっても、少なくとも取付溝の端部が標識板の裏面側から防護カバー板で覆われているために、歩行者がぶつかって怪我をすることが防止される安全性に優れた道路標識となり、また、防護カバー板は、標識板を支柱に取付するための取付溝を利用して標識板の裏面に取付したから、標識板に防護カバー板を取付するための新たな取付構造が不要で、既存の道路標識をそのまま使用でき、既存の道路標識に対して実質的に防護カバー板を追加するだけの部品コスト増で足りる構成であるから、さほどのコストアップを要せずに製造・提供可能となり、しかも、防護カバー板の取付構造についても、取付溝を利用した標識板の支柱への取付構造と同等の簡易な取付構造を採用可能であるから、容易に量産可能であるなど、極めて実用性に優れた画期的な道路標識となる。
【００１４】
また、請求項２記載の考案においては、取付溝の端部が防護カバー板によって確実に覆われるため、歩行者がぶつかることによる怪我を極めて良好に防止できる一層安全性に優れた構成の道路標識となる。
【００１５】
また、請求項３記載の考案においては、防護カバー板に歩行者がぶつかることによる怪我も良好に防止できる一層実用性に優れた構成の道路標識となる。
【００１６】
また、請求項４記載の考案においては、取付溝を利用した標識板の支柱への取付も、取付溝を利用した防護カバー板の標識板裏面への取付も、ボルト・ナットを用いた簡易な取付手法によって容易に可能となる一層実用性に優れた道路標識となる。
【００１７】
また、請求項５載の考案においては、取付溝を介してボルト・ナットにより防護カバー板を標識板裏面に取付する構成を簡易に設計実現可能となる一層実用性に優れた構成の道路標識となる。
【図面の簡単な説明】
【００１８】
【図１】本実施例を示す斜視図である。
【図２】本実施例の分解斜視図である。
【図３】本実施例の防護カバー板の標識板への取付構造を示す部分拡大背面図である。
【図４】本実施例の防護カバー板の標識板への取付構造を示す部分拡大側断面図である。
【考案を実施するための形態】
【００１９】
好適と考える本考案の実施形態を、図面に基づいて本考案の作用を示して簡単に説明する。
【００２０】
本考案の道路標識は、標識板１の裏面に設けた取付溝２を利用して支柱３に取付することができる。
【００２１】
このようにして支柱３に取付られた本考案の道路標識は、少なくとも前記取付溝２の端部が標識板１の裏面側から防護カバー板４で覆われている。
【００２２】
そのため、たとえ歩行者が顔などをぶつけ易い高さに取付溝２が位置するように標識板１が設置された場合であっても、この取付溝２の端部に歩行者がぶつかることはなく、ぶつかったとしても防護カバー板４の板面にぶつかり易いので大怪我をするようなことはない。
【００２３】
また、標識板１を支柱３に取付するための取付溝２を利用して防護カバー板４を標識板１の裏面に取付した本考案の道路標識は、標識板１に防護カバー板４を取付するための新たな構造を付加する必要がなく、既存の道路標識をそのまま使用することも可能である。
【００２４】
更に、防護カバー板４の取付構造についても、取付溝２を利用した標識板１の支柱３への取付構造と同等の簡易な取付構造を採用可能である。
【００２５】
また、例えば、前記防護カバー板４は、その端部を前記取付溝２の端部より外側に位置するように配して前記標識板１の裏面に付設した構成とすれば、取付溝２の端部が防護カバー板４によって確実に覆われることになる。
【００２６】
また、例えば、前記防護カバー板４は、角部に面取り加工を施した多角形板材で構成し、この防護カバー板４の面取り部５が前記標識板１の裏面側の角部付近に位置するように配して防護カバー板４を標識板１の裏面に付設した構成とすれば、万一防護カバー板４の角部に歩行者がぶつかっても面取り部５にぶつかるので怪我をしにくい。
【実施例】
【００２７】
本考案の具体的な実施例について図面に基づいて説明する。
【００２８】
本実施例の道路標識は、図１，図２に示すように、方形状の金属製標識板１の裏面に、複数（図面では三体）の細長い溝型金具10を上下方向に間隔を置いて横設状態に付設した構成とし、この溝型金具10の取付溝２を利用することによって標識取付用の支柱３に取付可能としている。
【００２９】
具体的には、溝型金具10は、例えばアルミニウム合金等を押し出し成形することによって、図４に示すような平板部の一側面に略コ字形の取付溝２が一体的に突設された断面形状の長尺金具を採用している。
【００３０】
そして、この溝型金具10を、その取付溝２が標識板１の裏面側に開放するように配して標識板１の裏面に付設している（溝型金具10の平板部の他側面を標識板１の裏面に重合止着している。）。
【００３１】
また、この取付溝２は、溝長さ方向の両端部が開放する形状に形成して、この取付溝２の両端部からボルト６（図面は六角ボルト６を採用している。）のボルト頭部７をスライド挿入し得るように構成すると共に、奥広となる溝形状（蟻溝形）に形成して、この取付溝２にスライド挿入したボルト６が標識板１に対しその表裏方向に抜け止め状態となるように構成している。
【００３２】
また、この取付溝２は、この取付溝２にスライド挿入したボルト頭部７が回り止め状態となる溝幅を有する形状に形成し、この取付溝２に取付したボルト６に対して後述するナット８の螺着作業が容易に行われる構成としている。
【００３３】
そして、この取付溝２に取付した二本の前記ボルト６に略半円状の包持金具11をナット８（図面は六角袋ナット８を採用している。）止めし、包持金具11と溝型金具10との間に支柱３を配してナット８を締付けることにより、標識板１を支柱３に締付固定し得る構成としている。
【００３４】
尚、取付溝２にナット８（例えば六角ナット８）をスライド挿入して取付し、この取付溝２に取付したナット８にボルト６を螺着することによって標識板１を支柱３に取付（締付固定）するようにしても良い。
【００３５】
本実施例は、少なくとも前記取付溝２の端部を前記標識板１の裏面側から覆う防護カバー板４を、前記取付溝２を利用して標識板１の裏面に付設している。
【００３６】
即ち、この防護カバー板４があることにより、たとえ歩行者が顔などをぶつけ易い高さに取付溝２が位置するようにして標識板１が設置された場合であっても、この取付溝２の端部に歩行者がぶつかることはなく、ぶつかったとしても防護カバー板４にぶつかることで大怪我をすることのない構成としている。
【００３７】
具体的には、防護カバー板４は、図１，図２に示すように、複数（三体）の溝型金具10（取付溝２）間に架け渡し可能な上下長さを有する長方形状の金属板を採用して構成し、この防護カバー板４の中程と上下部の合計三箇所に、前記各取付溝２に取付したボルト６を挿通可能なボルト通し孔９を貫通形成している。
【００３８】
この防護カバー板４の標識板１の裏面への取付構造は、前記支柱３への取付に用いたものと同等のボルト６・ナット８を用いて行う。即ち、標識板１の支柱３への取付構造と同一の取付構造を採用している。
【００３９】
更に具体的には、予め各溝型金具10の取付溝２の夫々の端部にボルト６を取付しておき、防護カバー板４を縦設状態にして各溝型金具10（取付溝２）の端部に配設した上で、各ボルト通し孔９に前記各ボルト９を挿通し、この各ボルト通し孔９の裏面側に突出しているボルト６にナット８を螺着することによって防護カバー板４を標識板１の裏面に各溝型金具10を介して締付固定した構造としている。図中符号12は座金である。
【００４０】
また、本実施例では、防護カバー板４の取付に用いたナット８に合成樹脂製のキャップ13を被嵌装着して、このナット８に万一歩行者などが触れても怪我をしにくくしている。
【００４１】
尚、予め各取付溝２の夫々の端部にナット８（例えば六角ナット８）をスライド挿入して取付しておき、この各ナット８に、防護カバー板４の各ボルト通し孔９に挿通したボルト６を螺着することによって防護カバー板４を標識板１の裏面に各溝型金具10を介して付設固定するようにしても良い。
【００４２】
また、防護カバー板４は、その端部を前記取付溝２の端部より外側に位置するように配して前記標識板１の裏面に付設して、取付溝の端部が防護カバー板４によって確実に覆われるようにしている。
【００４３】
更に詳しくは、図３に示すように、標識板１に対して外側に配する防護カバー板４の長手方向縁が、前記取付溝２の端部より外側に位置するように配して前記標識板１の裏面に付設している。
【００４４】
また、防護カバー板４は、四角部（四隅部）に面取り加工を施した板材で構成し、この防護カバー板４の面取り部５が前記標識板１の裏面側の角部付近に位置するように配して防護カバー板４を標識板１の裏面に付設した構成とし、これにより防護カバー板４の板面でなくこの面取り部５に歩行者などが触れた場合にも怪我をしにくくしている。
【００４５】
尚、本考案は、本実施例に限られるものではなく、各構成要件の具体的構成は適宜設計し得るものである。
【符号の説明】
【００４６】
１  標識板
２  取付溝
３  支柱
４  防護カバー板
５  面取り部
６  ボルト
７  ボルト頭部
８  ナット
９  ボルト通し孔
【図１】
0003177662.tif 000003
【図２】
0003177662.tif 000004
【図３】
0003177662.tif 000005
【図４】
0003177662.tif 000006